(57)【特許請求の範囲】
【請求項１】
清掃ヘッドと、該清掃ヘッドの下面を覆って取り付けられたベース体とからなる清掃具本体と、前記清掃ヘッドの下面と反対側の面に取り付けられたハンドル部とを備え、前記ベース体の下面による清掃面を覆って清掃シートが装着されて、該清掃シートにより被清掃面を払拭する清掃具であって、
前記ベース体は、弾性変形可能な薄板状下面部と、該薄板状下面部の前記清掃シートが巻き付けられる辺部に形成された折返し接合片部とを含む形状を備えており、前記薄板状下面部と前記折返し接合片部との折返し部が、略Ｖ字形状の鋭角な縁部折返し部となっており、
前記折返し接合片部が前記清掃ヘッドの周縁部の上面に接合されることで、略Ｖ字形状の鋭角な前記縁部折返し部の内側角部が前記清掃ヘッドの周縁部の先端よりも外側に配置されており、且つ該縁部折返し部の内側角部と前記清掃ヘッドの周縁部の先端との間に略三角形断面形状の空隙が保持されている清掃具。
【請求項２】
前記清掃ヘッドの周縁部に接合段差部が形成されており、該接合段差部に前記ベース体の前記折返し接合片部を接合することで、前記清掃ヘッドの上面と前記折返し接合片部の上面とが面一又は略面一となるように前記ベース体が取り付けられている請求項１記載の清掃具。
【請求項３】
前記清掃ヘッドの下面から下方に突出して、複数の支持リブが設けられており、前記ベース体の下面による清掃面を被清掃面に押し付けた際に、前記支持リブによって前記ベース体の前記薄板状下面部を背面側から支持する請求項１又は２記載の清掃具。
【請求項４】
前記清掃ヘッドの下面と前記ベース体の前記薄板状下面部との間に介在して、クッション材が装着されている請求項１〜３のいずれか１項記載の清掃具。
【発明の詳細な説明】
【技術分野】
【０００１】
本発明は、清掃面を覆って清掃シートが装着された清掃具本体により被清掃面の塵埃や汚れを取り除く清掃具に関する。
【背景技術】
【０００２】
清掃面を覆って不織布等からなる清掃シートが装着された清掃具本体によって床面等の被清掃面の塵埃や汚れを取り除く清掃具は、清掃具本体に取り付けられたハンドル部を手で持って被清掃面を払拭することにより清掃シートに塵埃や汚れを付着させて、手軽に清掃を行うことができる。
【０００３】
かかる清掃具によれば、清掃面となる清掃具本体の下面が平坦な面であると、払拭時に清掃シートによって覆われた清掃面の周囲にボリュームの大きなわたぼこりやゴミ等が先に付着して堆積し、清掃面の中央部分における小さなほこりや汚れの付着を阻害しやすいことから、清掃シートの全体にほこりや汚れを付着させて、効率良く被清掃面の清掃を行うことができるようにする清掃具が開発されている（例えば、特許文献１参照）。
【先行技術文献】
【特許文献】
【０００４】
【特許文献１】特開２００１−２９９６５９号公報
【発明の概要】
【発明が解決しようとする課題】
【０００５】
特許文献１の清掃具では、清掃具本体の清掃面を、凸面状に湾曲させてその中央部分を下方に突出させた状態から、ハンドル部からの押圧力によって平坦面となるように弾性変形可能に構成することによって、清掃シートの全体にほこりや汚れを付着させ易くなっているが、例えば壁際の床面や、家具の脚部周囲の床面等の際部分の形状に清掃具本体の周縁部をフィットさせ易くして、これらの際部分の清掃を効果的に行えるようにする清掃具の開発が更に望まれている。
【０００６】
本発明は、例えば壁際の床面や、家具の脚部周囲の床面等の際部分の形状に清掃具本体の周縁部をフィットさせ易くして、これらの際部分の清掃を効果的に行うことのできる清掃具を提供することを目的とする。
【課題を解決するための手段】
【０００７】
本発明は、清掃ヘッドと、該清掃ヘッドの下面を覆って取り付けられたベース体とからなる清掃具本体と、前記清掃ヘッドの下面と反対側の面に取り付けられたハンドル部とを備え、前記ベース体の下面による清掃面を覆って清掃シートが装着されて、該清掃シートにより被清掃面を払拭する清掃具であって、前記ベース体には、前記清掃シートが巻き付けられる辺部に縁部折返し部が形成されており、該縁部折返し部の内側角部が前記清掃ヘッドの周縁部の先端よりも外側に配置されていることで、該縁部折返し部の内側角部と前記清掃ヘッドの周縁部の先端との間に空隙が保持されている清掃具を提供することにより、上記目的を達成したものである。
【発明の効果】
【０００８】
本発明の清掃具によれば、例えば壁際の床面や、家具の脚部周囲の床面等の際部分の形状に清掃具本体の周縁部をフィットさせ易くして、これらの際部分の清掃を効果的に行うことができる。
【図面の簡単な説明】
【０００９】
【図１】本発明の好ましい一実施形態に係る清掃具の全体構成を説明する斜視図である。
【図２】本発明の好ましい一実施形態に係る清掃具の要部を説明する、清掃シート省略して示す図１のＡ−Ａに沿った断面図である。
【図３】本発明の好ましい一実施形態に係る清掃具の要部を説明する、清掃シート省略して示す図１のＢ−Ｂに沿った断面図である。
【図４】本発明の好ましい他の実施形態に係る清掃具の要部を説明する、清掃シート省略して示す図１のＡ−Ａに沿った断面図である。
【発明を実施するための形態】
【００１０】
図１に示す本発明の好ましい一実施形態に係る清掃具１０は、清掃具本体１１の清掃面１２を覆って着脱交換可能に使い捨て用の清掃シート１３を取り付けて、例えば床面を被清掃面として清掃作業を行う際に用いられる。本実施形態の清掃具１０は、例えば壁際の床面や、家具の脚部周囲の床面等の際部分の床面の清掃を行う際に、これらの際部分の形状に清掃具本体１１のベース体１５による周縁部をフィットさせ易くして、これらの際部分の清掃を効果的に行えるようにする機能を備えている。
【００１１】
本実施形態の清掃具１０は、清掃ヘッド１４と、この清掃ヘッド１４の下面を覆って取り付けられた弾性変形可能なベース体１５とからなる清掃具本体１１と、清掃ヘッド１４の下面と反対側の面、すなわち上面に取り付けられたハンドル部１６とを備え、ベース体１５の下面による清掃面１２を覆って清掃シート１３が装着されて、この清掃シート１３により被清掃面を払拭する。清掃シート１３が装着されていない状態の図２に示すように、ベース体１５には、清掃シート１３が巻き付けられる辺部１５ａ（図１参照）に、好ましくは略Ｖ字形状に鋭角に折り返された縁部折返し部１７が形成されており、この縁部折返し部１７の内面の最も外側の部分、すなわち内側角部１７ａが清掃ヘッド１４の周縁部１４ａの先端よりも外側に配置されていることで、この縁部折返し部１７の内側角部１７ａと清掃ヘッド１４の周縁部１４ａの先端との間に空隙１８が保持されている。
【００１２】
また、本実施形態では、ベース体１４は、弾性変形可能な薄板状下面部１９と、この薄板状下面部１９の清掃シート１３が巻き付けられる辺部を好ましくは略Ｖ字形状に鋭角に折り返して形成された折返し接合片部２０とを含む形状を備えており、薄板状下面部１９と折返し接合片部２０との折返し部が、ベース体１５の清掃シート１３が巻き付けられる辺部１５ａに形成された縁部折返し部１７となっていると共に、折返し接合片部２０を清掃ヘッド１４の周縁部１４ａの上面に接合することで、清掃ヘッド１４に袋状に、すなわち清掃ヘッド１４の周縁部１４ａをベース体１５で覆うように取り付けられている。
【００１３】
本実施形態では、清掃具本体１１を構成する清掃ヘッド１４は、図１〜図３に示すように、例えば長辺が２００〜３００ｍｍ程度、短辺が５０〜１５０ｍｍ程度の大きさの矩形平面形状を有するプラスチック製の平板状部材である。矩形平面形状を有する清掃ヘッド１４の両側の短辺部１４ｂは下方に折れ曲がって係着壁２１を形成している（図３参照）。矩形平面形状を有する清掃ヘッド１４の両側の長辺部１４ｃの周縁部１４ａは、下方に傾斜しながら湾曲する湾曲凸面部となっており、またこの湾曲凸面部となった長辺部１４ｃの周縁部１４ａには、接合段差部２２が形成されている（図２参照）。さらに、本実施形態では、清掃ヘッド１４の下面から下方に突出して、複数の支持リブ２３が設けられている。
【００１４】
清掃ヘッド１４の支持リブ２３が突出する下面とは反対側の面である、清掃ヘッド１４の上面には、これの中央部分を隆起させて、ハンドル支持ジョイント部２４が一体として設けられている。このハンドル支持ジョイント部２４に、ハンドル部１６の下端部に設けられた回転ジョイント部２５を回転可能に接合することで、当該ハンドル部１６を清掃具本体１１に対して上下方向のみならず左右方向にも回動させながら、清掃具１０による清掃作業を行うことが可能になる（図１参照）。
【００１５】
また、清掃ヘッド１４の上面には、係着スリット２６ａが形成された柔軟な弾性材料からなる公知のシート保持部２６が設けられている。清掃ヘッド１４の下面側に一体として取り付けられたベース体１５の下面（清掃面１２）を下方から覆うようにして、清掃シート１３を清掃ヘッド１４に巻き付けた後に、清掃シート１３の端部を、清掃ヘッド１４の上面に設けられたシート保持部２６の係着スリット２６ａに押し込んで係着することにより、清掃シート１３を清掃具本体１１に着脱交換可能に容易に装着することができる（図１参照）。
【００１６】
本実施形態では、清掃シート１３は、矩形平面形状を有する清掃ヘッド１４の下面を覆って取り付けられたベース体１５の、長辺部１４ｃに沿った長辺部を当該清掃シート１３が巻き付けられる辺部１５ａとして、清掃具本体１１の清掃面１２を下方から覆うようにして装着される。
【００１７】
清掃ヘッド１４と共に清掃具本体１１を構成するベース体１５は、弾性変形可能な合成樹脂材料として、例えば熱可塑性エラストマー（高温化で可塑化され、常温でゴム弾性体の性質を有する高分子材料。スチレン系、オレフィン系等の種類がある）、ウレタンやＥＶＡ（エチレン酢酸ビニル共重合物）樹脂等からなる。ベース体１５は、清掃ヘッド１４よりも一回り大きな矩形平面形状を備える。本実施形態では、ベース体１５は耐薬品性が優れている観点からスチレン系の熱可塑性エラストマーで成形され、その全体が、例えば０．５〜３ｍｍ程度の薄い肉厚で形成されている。
【００１８】
ベース体１５は、矩形平面形状の薄板状下面部１９と、清掃シート１３が巻き付けられる辺部１５ａとなる薄板状下面部１９の両側の長辺部を各々鋭角に折り返して形成された、両側の折返し接合片部２０とを含む形状を備えており、さらに薄板状下面部１９の両側の短辺部１５ｂには、当該短辺部１５ｂを成形加工することで立設させた、中空の略三角形の断面形状を有する短辺部クッション部２７が設けられている。短辺部クッション部２７の内側立設壁２７ａの内側には、スリット状の隙間を挟んで挟込みリブ２８が、薄板状下面部１９から立設して設けられている。これらの挟込みリブ２８と内側立設壁２７ａとの間のスリット状の隙間を係着溝２９として、ベース体１５が清掃ヘッド１４に一体として取り付けられる際に、清掃ヘッド１４の短辺部１４ｂに設けられた係着壁２１が当該係着溝２９に係着される。
【００１９】
なお、本実施形態では、薄板状下面部１９によるベース体１５の下面（清掃面１２）には、好ましくは山部と谷部とが交互に連続配置された波形断面形状となっている波形凹凸面部３０が形成されている。この波形凹凸面部の谷部は、ベース体１５の清掃シート１３が巻き付けられる辺部１５ａにおいて開口していると共に、当該辺部１５ａに対して斜めに延設している部分を有している。これらによって、清掃具本体１１の清掃面１２を覆って装着された清掃シート１３の広範囲な領域に塵埃や髪の毛やごみ等の固形物を付着させながら、被清掃面の清掃を効率良く行うことが可能になる。
【００２０】
本実施形態では、清掃ヘッド１４にベース体１５を一体として取り付けることで、清掃具本体１１が形成される。清掃ヘッド１４にベース体１５を取り付けるには、例えば矩形平面形状の清掃ヘッド１４の長辺部１４ｃ及び短辺部１４ｂに、矩形平面形状のベース体１５の長辺部１５ａ及び短辺部１５ｂを沿わせた状態で、ベース体１５を弾性変形させながら清掃ヘッド１４に装着する。すなわち、ベース体１５の短辺部１５ｂの係着溝２９に、清掃ヘッド１４の短辺部１４ｂの係着壁２１を押し込むようにして係着させると共に（図３参照）、ベース体１５の長辺部１５ａの折返し接合片部２０を、清掃ヘッド１４の長辺部１４ｃの周縁部１４ａの接合段差部２２に、これの上方から重ね合わせ、例えば接着剤を用いて接合することによって（図２参照）、清掃ヘッド１４にベース体１５を容易に取り付けることができる。
【００２１】
ここで、清掃ヘッド１４の長辺部１４ｃの周縁部１４ａに形成された接合段差部２２の幅ｂ1は（接合段差部２２の基部と先端との距離）、ベース体１５の折返し接合片部２０の幅ｂ2（接合段差部２２の基部と内側角部１７ａとの距離）よりも小さくなっている（図２参照）。これによって、折返し接合片部２０の先端面２０ａを接合段差部２２の段差端面２２ａに当接させた状態で、折返し接合片部２０を清掃ヘッド１４の上面に接合することにより、ベース体１５の清掃シート１３が巻き付けられる辺部１５ａに形成された略Ｖ字形状の縁部折返し部１７の内側角部１７ａが、清掃ヘッド１４の周縁部１４ａの先端よりも外側に配置されることになる。またこれによって、この縁部折返し部１７の内側角部１７ａと清掃ヘッド１４の周縁部１４ａの先端との間には、略三角形断面形状の相当の大きさの空隙１８が保持されることになる。
【００２２】
また、本実施形態では、清掃ヘッド１４の長辺部１４ｃの周縁部１４ａに形成された接合段差部２２の段差は、ベース体１５の折返し接合片部２０の厚さと同様の、例えば０．５〜３ｍｍ程度の高さとなっている。したがって、折返し接合片部２０の先端面２０ａを接合段差部２２の段差端面２２ａに当接させた状態で折返し接合片部２０を清掃ヘッド１４の上面に接合した際に、清掃ヘッド１４の接合段差部２２よりも内側部分の上面１４ｄと、ベース体１５の折返し接合片部２０の上面２０ｂとが、面一又は略面一となるようにベース体１５が取り付けられることになる。これによって、清掃ヘッド１４とベース体１５とが一体となった清掃具本体１１の美観を向上させることが可能になると共に、例えば清掃シート１３を取り外した状態で清掃具１０を長期間室内に放置したとしても、清掃具本体１１の上面にゴミや埃が堆積するのを効果的に回避することが可能になる。
【００２３】
本実施形態の清掃具１０では、上述のように、清掃ヘッド１４とベース体１５とが一体となった清掃具本体１１の清掃面１２を覆って使い捨て用の清掃シート１３を取り付けて、例えば床面を被清掃面として清掃作業を行う。清掃具本体１１を床面から浮かせた状態では、清掃具本体１１のベース体１５による清掃面１２は、下方に向けて凸面状に湾曲した形状となっているが（図２、図３参照）、清掃時にはハンドル部からの押圧力によって平坦面となるように弾性変形することができる。また、清掃ヘッド１４の下面から下方に突出して設けられた複数の支持リブ２３によって、薄板状下面部１９が背面側から支持された状態で、清掃シート１３の全体にほこりや汚れを付着させながら効率良く清掃作業を行うことが可能になる。
【００２４】
ここで、本実施形態では、清掃面１２を覆って清掃具本体１１に装着されて、塵埃や汚れ等を付着させる清掃シート１３としては、例えばオレフィン系極細繊維不織布等の公知の各種の清掃シートを用いることができる。
【００２５】
そして、上述の構成を備える本実施形態の清掃具１０によれば、例えば壁際の床面や、家具の脚部周囲の床面等の際部分の形状に清掃具本体１１の周縁部をフィットさせ易くして、これらの際部分の清掃を効果的に行うことが可能になる。
【００２６】
すなわち、本実施形態の清掃具１０によれば、ベース体１５には、清掃シート１３が巻き付けられる辺部１５ａに、好ましくは略Ｖ字形状に鋭角に折り返された縁部折返し部１７が形成されており、この縁部折返し部１７の内側角部１７ａが清掃ヘッド１４の周縁部１４ａの先端よりも外側に配置されていることで、この縁部折返し部１７の内側角部１７ａと清掃ヘッド１４の周縁部１４ａの先端との間には、略三角形の断面形状の空隙１８が保持されるようになっている。ベース体１５の清掃シート１３が巻き付けられる辺部１５ａの好ましくは略Ｖ字形状に鋭角に折り返された縁部折返し部１７の裏側に、このような外側に向かった鋭角の頂点を有する略三角形の断面形状の空隙１８が保持されていることで、例えば壁際の床面や、家具の脚部周囲の床面等の際部分を清掃する際に、縁部折返し部１７の鋭角な先端部を例えば壁や家具の脚部周囲に当接させることで、当該清掃シート１３が巻き付けられた辺部１５ａが変形し易くなるので、これら際部分の形状にフィットし易くなって、これらの際部分の床面の清掃を効果的に行うことが可能になる。
【００２７】
図４は、本発明の好ましい他の実施形態に係る清掃具４０の構成を説明するものである。図４に示す清掃具４０は、上記実施形態の清掃具１０と同様の構成を備えていることに加えて、支持リブ２３が突出する清掃ヘッド１４の下面とベース体１５の薄板状下面部１９との間に介在させた、クッション材４１が装着されている。クッション材４１は、例えばスポンジ（材質は例えばウレタンフォーム等）からなり、清掃ヘッド１４の下面側に設けられた複数の補強リブ２３と、ベース体１５の薄板状下面部１９との間の隙間を充填するようにして、清掃ヘッド１４の下面の略全域に亘って装着される。
【００２８】
図４に示す清掃具４０によっても、上記実施形態の清掃具１０と同様の作用効果が奏される他、清掃ヘッド１４の下面とベース体１５の薄板状下面部１９との間にクッション材４１を介在させて清掃具本体１１が形成されていることで、クッション材４１によって、ベース体１５の下面による清掃面１２を、これの背面側から面状に支持した状態で押し出すことか可能になる。また、ベース体１５の下面による清掃面１２を、クッション材４１による柔らかな弾性付勢力を介して緩やかに湾曲する湾曲形状に下方に突出させた状態とすることが可能になる。これらによって、例えばハンドル部１６から清掃具本体１１へ僅かな押圧力しか加えられていない状態では、湾曲する清掃面１２を被清掃面にフィットさせたソフトな感触で清掃作業を行うことが可能になると共に、塵埃や髪の毛やごみ等の固形物を清掃シート１３の中心部付近まで取り込むことが可能になる。また、清掃面１２を被清掃面に押し付けて清掃作業を行うためにハンドル部１６から清掃具本体１１へ相当の押圧力を加えた状態では、クッション材４１は全体に亘ってバランスよく容易に押し潰されて、ソフトなクッション感を伴いながら、清掃シート１３によって覆われたベース体１５の下面による清掃面１２を、広範囲に亘って被清掃面にフィットする平坦な面とすることが可能になる。
【００２９】
なお、本発明は上記各実施形態に限定されることなく種々の変更が可能である。例えば、ベース体は、薄板状下面部と、清掃シートが巻き付けられる辺部に形成された折返し接合片部とを含む形状を備えていて、清掃ヘッドに袋状に取り付けられるものである必要は必ずしもなく、清掃シートが巻き付けられる辺部に折り返された縁部折返し部が形成されている、その他の種々の形状のベース体であっても良い。また、清掃ヘッドの周縁部に接合段差部が形成されている必要は必ずしも無く、ベース体の折返し接合片部は、接合段差部を介することなく清掃ヘッドの上面に接合することもできる。さらに、清掃ヘッドの下面から下方に突出して、複数の支持リブが設けられている必要は必ずしも無く、清掃ヘッドやベース体は、矩形平面形状以外の、例えば長円形状や楕円形状等を備えていても良い。
【符号の説明】
【００３０】
１０，４０  清掃具
１１  清掃具本体
１２  清掃面
１３  清掃シート
１４  清掃ヘッド
１４ａ  清掃ヘッドの周縁部
１４ｂ  清掃ヘッドの短辺部
１４ｃ  清掃ヘッドの長辺部
１５  ベース体
１５ａ  ベース体の長辺部（清掃シートが巻き付けられる辺部）
１５ｂ  ベース体の短辺部
１６  ハンドル部
１７  縁部折返し部
１８  空隙
１９  薄板状下面部
２０  折返し接合片部
２２  接合段差部
２３  支持リブ
２７  短辺部クッション部
２７ａ  立設壁
２８  挟込みリブ
２９  係着溝
４１  クッション材
【図１】
0005901910.tif 000002
【図２】
0005901910.tif 000003
【図３】
0005901910.tif 000004
【図４】
0005901910.tif 000005